(57)【要約】本発明は、電子メールメッセージにリンクを埋め込むコンテンツ埋込メッセージ生成装置及び方法を提供する。一実施形態において、コンテンツ埋込メッセージ生成装置及び方法は、電子メールメッセージを起動し、電子メールメッセージに添付するためのコンテンツを選択し、コンテンツに対応するＵＲＬを自動的に作成し、ＵＲＬを電子メールメッセージ内に自動的に埋め込む。本発明の他の実施形態及び利点は、本発明の趣旨の具体例を示す図面を参照して説明した詳細な説明により明らかになる。
2006522415.tif 000002
【特許請求の範囲】
【請求項１】
電子メールメッセージを起動する起動ステップと、
上記電子メールメッセージに添付するためのコンテンツを選択する選択ステップと、
上記コンテンツに対応するＵＲＬを自動的に作成するＵＲＬ作成ステップと、
上記ＵＲＬを上記電子メールメッセージ内に自動的に埋め込むＵＲＬ埋込ステップとを有するコンテンツ埋込メッセージ生成方法。
【請求項２】
さらに、上記ＵＲＬを通して上記コンテンツを閲覧するステップを有する請求項１記載のコンテンツ埋込メッセージ生成方法。
【請求項３】
さらに、上記選択ステップの前に複数のコンテンツをブラウザするステップを有する請求項１記載のコンテンツ埋込メッセージ生成方法。
【請求項４】
さらに、上記コンテンツをターゲットサーバにアップロードするステップを有し、上記ＵＲＬは、該ターゲットサーバ上の該コンテンツに対応することを特徴とする請求項１記載のコンテンツ埋込メッセージ生成方法。
【請求項５】
さらに、上記コンテンツを上記ターゲットサーバに保存するステップを有する請求項４記載のコンテンツ埋込メッセージ生成方法。
【請求項６】
さらに、上記コンテンツを他のコンテンツとは別の位置に保存するステップを有する請求項１記載のコンテンツ埋込メッセージ生成方法。
【請求項７】
さらに、上記電子メールメッセージを受信し、上記コンテンツを表示するステップを有する請求項１記載のコンテンツ埋込メッセージ生成方法。
【請求項８】
上記コンテンツの表示は、上記電子メールメッセージの開封と同時に自動的に実行されることを特徴とする請求項７記載のコンテンツ埋込メッセージ生成方法。
【請求項９】
上記コンテンツの表示は、上記ＵＲＬを選択することによって実行されることを特徴とする請求項７記載のコンテンツ埋込メッセージ生成方法。
【請求項１０】
上記コンテンツは、画像であることを特徴とする請求項１記載のコンテンツ埋込メッセージ生成方法。
【請求項１１】
上記画像は、ＴＩＦＦファイル、ＪＰＥＧファイル、ＭＰＥＧファイルのうちの１つであることを特徴とする請求項１０記載のコンテンツ埋込メッセージ生成方法。
【請求項１２】
さらに、上記画像に対応するＵＲＬが埋め込まれた上記電子メールメッセージを受信者に送信するステップを有する請求項１記載のコンテンツ埋込メッセージ生成方法。
【請求項１３】
上記ターゲットサーバは、フォトアルバムアプリケーションであることを特徴とする請求項４記載のコンテンツ埋込メッセージ生成方法。
【請求項１４】
上記ターゲットサーバは、コンテンツストレージアプリケーションであることを特徴とする請求項４記載のコンテンツ埋込メッセージ生成方法。
【請求項１５】
さらに、上記電子メールメッセージを受信し、上記コンテンツを該電子メールメッセージの受信者に対して視聴可能にするステップを有する請求項１記載のコンテンツ埋込メッセージ生成方法。
【請求項１６】
上記コンテンツは、文書であることを特徴とする請求項１記載のコンテンツ埋込メッセージ生成方法。
【請求項１７】
上記コンテンツは、音楽セレクションであることを特徴とする請求項１記載のコンテンツ埋込メッセージ生成方法。
【請求項１８】
電子メールメッセージを起動する起動ステップと、
複数の画像をブラウズするブラウジングステップと、
上記複数の画像から上記電子メールメッセージに添付するための画像を選択する選択ステップと、
上記選択画像の位置を判定するステップと、
上記選択画像を選択的にターゲットサーバにアップロードするアップロードステップと、
上記選択画像に対応するＵＲＬを自動的に作成するＵＲＬ作成ステップと、
上記ＵＲＬを上記電子メールメッセージ内に自動的に埋め込むＵＲＬ埋込ステップとを有する画像埋込メッセージ生成方法。
【請求項１９】
さらに、上記選択画像の位置に基づいて、該選択画像を上記ターゲットサーバ上の別の位置に複製するステップを有する請求項１８記載の画像埋込メッセージ生成方法。
【請求項２０】
さらに、上記電子メールメッセージを開封するステップを有する請求項１８記載の画像埋込メッセージ生成方法。
【請求項２１】
さらに、上記電子メールメッセージの開封と同時に上記選択画像を自動的に表示するステップを有する請求項２０記載の画像埋込メッセージ生成方法。
【請求項２２】
上記ＵＲＬの選択と同時に上記選択画像を表示することを特徴とする請求項２０記載の画像埋込メッセージ生成方法。
【請求項２３】
コンテンツをサーバに選択的にアップロードするアップロードモジュールと、
上記コンテンツに対応したＵＲＬを自動的に割り付けるＵＲＬ作成モジュールと、
上記ＵＲＬを電子メールメッセージに自動的に埋め込む添付モジュールとを備えるコンテンツ埋込メッセージ生成装置。
【請求項２４】
上記コンテンツは、画像であることを特徴とする請求項２３記載のコンテンツ埋込メッセージ生成装置。
【請求項２５】
上記コンテンツは、文書であることを特徴とする請求項２３記載のコンテンツ埋込メッセージ生成装置。
【請求項２６】
上記コンテンツは、音楽セレクションであることを特徴とする請求項２３記載のコンテンツ埋込メッセージ生成装置。
【請求項２７】
上記電子メールメッセージには、該電子メールメッセージの受信者にサーバを通して直接上記コンテンツにアクセスすることができるようにするＵＲＬが埋め込まれていることを特徴とする請求項２３記載のコンテンツ埋込メッセージ生成装置。
【請求項２８】
上記ＵＲＬは、上記電子メールメッセージの受信者にサーバを通して直接上記コンテンツにアクセスすることができるようにすることを特徴とする請求項２３記載のコンテンツ埋込メッセージ生成装置。
【請求項２９】
コンテンツをサーバに選択的にアップロードするアップロード手段と、
上記コンテンツに対応したＵＲＬを自動的に割り付けるＵＲＬ作成手段と、
上記ＵＲＬを電子メールメッセージに自動的に埋め込む添付手段とを備えるコンテンツ埋込メッセージ生成装置。
【請求項３０】
電子メールメッセージを起動するステップと、
上記電子メールメッセージに添付するためのコンテンツを選択するステップと、
上記コンテンツに対応するＵＲＬを自動的に作成するステップと、
上記ＵＲＬを上記電子メールメッセージ内に自動的に埋め込むステップとをコンピュータに実行させる命令を格納したコンピュータにより読出可能な記録媒体。
【発明の詳細な説明】
【技術分野】
【０００１】
本発明は、一般的にはメッセージの伝送に関し、特にコンテンツ埋込メッセージの伝送に関する。
【背景技術】
【０００２】
コンピュータは、個人用と業務用の両方において、利用が増大している。コンピュータの価格が低下しているので、より多くの人が入手することができるようになった。コンピュータの利用が増加すると、インターネットへのアクセスも急激に増加している。
【０００３】
コンピュータ及びインターネットの利用が増えても、未だ多くの人々がコンピュータ上のアプリケーション及びインターネットを介してアクセス可能なアプリケーションの使用については慣れ親しんでいない。例えば、多くのユーザは、電子メールメッセージを受信者に送信する等の基本的な機能の操作をすることはできるが、電子メールメッセージに添付ファイルを付けて送信する技能の無いユーザも多い。
【０００４】
また、多くの電子メールメッセージサービス（electronic mail messenging service）は、所定のファイルサイズを超えたファイルの伝送をサポートしていない。所定のファイルサイズを超えた添付ファイルを処理するための内部リソースが不足しているため、添付ファイルのサイズを制限している電子メールメッセージサービスもある。さらに、無料又は低価格の電子メールアカウントを利用するユーザが増えているので、より多くのユーザが添付ファイルのサイズの制限に影響を受けている。
【発明の開示】
【課題を解決するための手段】
【０００５】
本発明は、電子メールメッセージにリンクを埋め込むコンテンツ埋込メッセージ生成装置及び方法を提供する。一実施形態において、コンテンツ埋込メッセージ生成装置及び方法は、電子メールメッセージを起動し、電子メールメッセージに添付するためのコンテンツを選択し、コンテンツに対応するＵＲＬを自動的に作成し、ＵＲＬを電子メールメッセージ内に自動的に埋め込む。
【０００６】
本発明の他の実施形態及び利点は、本発明の趣旨の具体例を示す図面を参照して説明した以下の詳細な説明により明らかになる。
【発明を実施するための最良の形態】
【０００７】
以下、図面を参照して本発明を説明する。なお、以下の詳細な説明は、本発明を限定するものではなく、本発明の範囲は、特許請求の範囲において定義される。
【０００８】
本発明は、電子メールメッセージにコンテンツを埋め込む方法及び装置を含む。また、本発明は、リモート装置に格納されたコンテンツに関連するリンクを生成する方法及び装置を含む。さらに、本発明は、コンテンツに関連したリンクを電子メールメッセージに自動的に添付する方法及び装置を含む。
【０００９】
一実施形態において、コンテンツは、画像、文書、音楽セレクション等の様々なアイテムを含む。簡潔且つ明確にするため、本発明の様々な実施例は、コンテンツを表すのに画像及び／又は対応する画像データを用いて説明するが、本発明は、いかなる特定の種類のコンテンツに限定せずに用いられるものとする。
【００１０】
本発明を適用した他の多くの実施例が可能であることは、当業者に明らかである。
【００１１】
Ａ．環境及びアーキテクチャ
図１に、本発明を実施することができる環境を示す。この環境は、クライアント１１０、ネットワーク１２０、サーバ１３０を含む。
【００１２】
クライアント１１０は、民生用電子機器であってもよい。民生用電子機器には、コンピュータ装置、デジタルカメラ、電話機、ページャ等がある。クライアント１１０は、送信者によって使用されてもよい。
【００１３】
ネットワーク１２０は、クライアント１１０及びサーバ１３０に接続される。一実施形態において、ネットワーク１２０は、インターネットである。他の実施形態において、ネットワーク１２０は、クライアント１１０とサーバ１３０との間のいかなる伝送媒体であってもよい。
【００１４】
サーバ１３０は、ネットワーク１２０を介してクライアント１１０に接続される。
【００１５】
クライアント１１０及び／又はサーバ１３０は、ソフトウェア、ハードウェア及び／又はファームウェアの組合せを有し、本発明の機能の提供することができる。
【００１６】
図２は、本発明を実現するアーキテクチャの一具体例を簡略に示す図である。このアーキテクチャは、複数のクライアント装置２０２、サーバ２１０及びネットワーク２０１を含む。一実施形態において、ネットワーク２０１は、インターネットである。
【００１７】
複数のクライアント装置２０２は、それぞれ、ランダムアクセスメモリ等のコンピュータ読出可能媒体２０９とプロセッサ２０８を有し、コンピュータ読出可能媒体２０９は、プロセッサ２０８に接続されている。プロセッサ２０８は、コンピュータ読出可能媒体２０９に格納されたプログラム命令を実行する。他の実施形態において、複数のクライアント装置２０２は、更に、これに限定されないが、マウス、ＣＤ−ＲＯＭ、キーボード、表示装置等のいくつかの外部装置又は内部装置を有していてもよい。
【００１８】
複数のクライアント装置２０２は、各コンピュータ読出可能媒体２０９内にインタフェースフレームワークを格納していてもよい。
【００１９】
複数のクライアント装置２０２と同様に、サーバ装置２１０は、コンピュータ読出可能媒体２１２と、コンピュータ読出可能媒体２１２に接続されたプロセッサ２１１を有していてもよい。サーバ装置２１０は、更に、これに限定されないが、例えばデータベース２４０のような補助記憶装置等のいくつかの外部装置又は内部装置を有していてもよい。
【００２０】
サーバ装置２１０は、各コンピュータ読出可能媒体２１２内にインタフェースフレームワークを格納していてもよい。
【００２１】
複数のクライアント装置２０２のプロセッサ２０８とサーバ装置２１０のプロセッサ２１１は、例えばインテル社（Intel Corporation、カリフォルニア州サンタクララ）製のプロセッサ等の数多くある既知のコンピュータプロセッサの何れであってもよい。一般的には、複数のクライアント装置２０２は、ネットワークに接続されてアプリケーションプログラムとインタラクトする、情報端末、スマートフォン（"smart" cellular telephone）、スマートページャ（"smart" pager）等のいかなる種類のコンピュータプラットフォームであってもよい。サーバ装置２１０は、ここでは単一のコンピュータ装置として説明しているが、コンピュータプロセッサのネットワークとして実現してもよい。
【００２２】
複数のクライアント装置２０２及びサーバ装置２１０は、本発明の一部を含んでいてもよい。一実施形態において、複数のコンピュータ読出可能媒体２０９、２１２は、本発明の一部を含んでいてもよい。また、複数のクライアント装置２０２及びサーバ装置２１０は、本発明に用いる電子メッセージを送受信する。同様に、ネットワーク２０１は、本発明に用いる電子メッセージを伝送する。
【００２３】
図３は、装置３００の一実施形態を示す。一実施形態において、装置３００は、遠隔装置に対するコンテンツのアップロード、そのコンテンツに関連するＵＲＬの作成、そのＵＲＬを電子メッセージに自動的に添付、及び／又は、アップロードされたコンテンツの閲覧のうちのいずれかの又は全ての動作を実行する。
【００２４】
一実施形態において、送信された電子メッセージは、コンテンツに対応するＵＲＬとそのコンテンツの少なくとも一部を表示するサムネイル画像との両方を含んでいてもよい。
【００２５】
装置３００は、アップロードモジュール３１０、ＵＲＬ作成モジュール３２０、添付モジュール３３０、インタフェースモジュール３４０、制御モジュール３５０を有する。一実施形態において、制御モジュール３５０は、アップロードモジュール３１０、ＵＲＬ作成モジュール３２０、添付モジュール３３０及びインタフェースモジュール３４０に接続されている。
【００２６】
一実施形態において、制御モジュール３５０は、アップロードモジュール３１０、ＵＲＬ作成モジュール３２０、添付モジュール３３０、インタフェースモジュール３４０の間のタスク、要求、通信を調整する。
【００２７】
一実施形態において、アップロードモジュール３１０は、ターゲットサーバに画像データをアップロードする。画像データは、例えば、送信者のコンピュータ装置内、遠隔サーバ装置内、又はターゲットサーバ内に存在する。画像データが送信者のコンピュータ装置内又は遠隔サーバ装置内に存在する場合、画像データは、ターゲットサーバにアップロードされる。
【００２８】
一実施形態において、ターゲットサーバは、フォトアルバムアプリケーションである。一実施形態では、画像データは、ターゲットサーバ内に格納されていてもよい。一実施形態では、画像データは、ＴＩＦＦフォーマット、ＪＰＥＧフォーマット等の形式で格納される。
【００２９】
他の実施形態において、ターゲットサーバは、様々なコンテンツを格納するコンテンツストレージサーバである。このコンテンツは、文書、音楽セレクション等を含んでいてもよい。
【００３０】
さらに他の実施形態において、ターゲットサーバは、送信者の装置と同じ装置であってもよい。
【００３１】
一実施形態において、アップロードモジュール３１０は、画像データの位置を特定し、ターゲットサーバに対する画像データの送信を調整する。
【００３２】
一実施形態において、ＵＲＬ作成モジュール３２０は、特定の画像又は複数の選択された画像を特定し、その特定の画像にＵＲＬを関連付ける。例えば、複数の画像がターゲットサーバ内に格納されている場合、ＵＲＬ作成モジュール３２０は、特定の画像を複数の画像の中から特定する。次に、これらの特定の画像に対応するＵＲＬを関連付ける。
【００３３】
一実施形態において、添付モジュール３３０は、特定の画像に対応するＵＲＬを送信者によって作成された電子メールメッセージ内に埋め込む。
【００３４】
例えば、添付モジュール３３０は、ＵＲＬ作成モジュール３２０において作成されたＵＲＬを、送信者によって作成され、受信者に宛てられた電子メールメッセージ内に自動的に埋め込む。ＵＲＬが埋め込まれた電子メールメッセージは、受信者によって開封される。電子メールメッセージが開封されると、受信者は、その特定の画像をＵＲＬを通して閲覧することができる。
【００３５】
したがって、送信者は、特定の画像を直接送信せずに、受信者がその特定の画像を見ることができるように電子メールメッセージを受信者に送信することができる。送信者は、受信者宛の電子メールメッセージを作成する際に、この電子メールメッセージに、特定の画像をシームレス且つ自動的に埋め込むことができる。
【００３６】
一実施形態において、インタフェースモジュール３４０は、送信者のインストラクションを受信し、装置３００を動作させる。一実施形態において、インタフェースモジュール３４０は、送信者からの画像セレクション、受信者の情報、メッセージコンテンツ等のいかなるデータも受信する。
【００３７】
図３に示す装置３００は、例示の目的で示すものであり、本発明の一実施形態にすぎない。本発明の範囲から逸脱することなく、装置３００に他のモジュールを追加してもよい。同様に、各モジュールは、本発明の範囲から逸脱することなく、結合又は削除してもよい。
【００３８】
Ｂ．動作
図４、図５、図６に示すフローチャートは、本発明の一実施形態に過ぎない。フローチャート内のステップは、本発明の範囲から逸脱することなく、異なる順序で実行してもよい。また、各ステップは、本発明の範囲から逸脱することなく、削除、追加又は結合してもよい。
【００３９】
図４のフローチャートは、本発明の一実施形態に係るメッセージにコンテンツデータを添付することを説明する。
【００４０】
ステップ４１０において、メッセージが作成される。一実施形態において、メッセージは、電子メールメッセージである。メッセージは、受信者を特定する情報及び／又は受信者に宛てられた対応するテキストメッセージを含んでいてもよい。
【００４１】
一実施形態において、メッセージは、マイクロソフトアウトルック（Microsoft Outlook：登録商標）等の、送信者のローカル装置上の電子メールアプリケーションによって作成される。他の実施形態において、メッセージは、ホットメール（Hotmail：登録商標）等の、送信者のローカル装置に対してリモート位置に存在するオンライン電子メールアプリケーションによって作成される。
【００４２】
ステップ４２０において、送信者は、コンテンツを選択して、コンテンツを特定する。送信者によって特定されたコンテンツは、選択され、作成されたメッセージ添付され、受信者に送信される。一実施形態において、コンテンツは、画像、文書、音楽セレクション、Ａ／Ｖ表現等のうちの１つである。
【００４３】
ステップ４３０において、送信者によって選択されたコンテンツに対応するコンテンツデータは、ターゲットサーバにアップロードされる。一実施形態において、コンテンツデータは、ターゲットサーバの外部に位置する。他の実施形態において、コンテンツデータは、既にターゲットサーバ内に存在する。一実施形態では、アップロードモジュール３１０（図３に示す）は、コンテンツデータをターゲットサーバにアップロードするのに用いられる。
【００４４】
ステップ４４０において、コンテンツデータに対応させるＵＲＬを作成する。一実施形態において、ＵＲＬは、送信者によって選択されたコンテンツを表すコンテンツデータを格納するターゲットサーバ内の１つの位置に一意的に対応する。したがって、ＵＲＬにアクセスすると、コンテンツデータに関連付けられたコンテンツを表示することができる。
【００４５】
ステップ４５０において、電子メールメッセージにＵＲＬを埋め込む。一実施形態において、ＵＲＬは、電子メールメッセージ内に表示される。例えば、受信者は、電子メールメッセージを開封し、埋め込まれたＵＲＬを選択するように促される。一旦ＵＲＬが選択されると、受信者は、選択されたコンテンツを見ることができる。
【００４６】
他の実施形態において、ＵＲＬは、受信者が電子メールメッセージを開封すると同時に自動的に起動する。例えば、受信者は、電子メールメッセージを開封する。次に、埋め込まれたＵＲＬが自動的に選択され、コンテンツデータに対応するコンテンツを受信者に表示する。
【００４７】
さらに他の実施形態において、ＵＲＬは、電子メールメッセージに埋め込まれたコンテンツの少なくとも一部を表すサムネイルアイコンと共に電子メールメッセージ内に表示される。
【００４８】
ステップ４３０のコンテンツアップロード、ステップ４４０のＵＲＬ作成、及び、ステップ４５０のＵＲＬ添付は、送信者の介入なしに自動的に実行される。
【００４９】
図５に示すフローチャートは、本発明の一実施形態に係る画像データの生成及びその画像データをメッセージに添付することを説明する。
【００５０】
ステップ５１０において、送信者は、複数の画像を閲覧する。一実施形態において、これらの画像は、ターゲットサーバ上に位置する。一実施形態において、このターゲットサーバは、イメージステーション（ImageStation：登録商標）等のフォトアルバムアプリケーションをホストする。一実施形態において、複数の画像は、保存され、フォトアルバムとして構成される。
【００５１】
ステップ５２０において、送信者は、画像を選択し、複数の画像から１つの画像を特定する。送信者によって特定された画像は、選択され、作成されたメッセージ添付され、受信者に送信される。一実施形態では、送信者は、１つの画像を選択する。他の実施形態では、送信者は、複数の画像を選択し、メッセージに添付する。
【００５２】
ステップ５３０において、選択された画像は、特定の位置にコピーされる。例えば、選択された画像は、ステップ５１０で閲覧した複数の画像の位置とは別の位置にコピーされる。具体的には、選択された画像は、複製される。この複製画像は、ターゲットサーバ内に、複数の画像とは別の位置に格納される。この実施形態において、選択画像が複数の画像とは別の位置に格納されていながら、複数の画像は、依然１つのフォトアルバムとして閲覧することができる。
【００５３】
ステップ５４０において、選択画像に対応させるＵＲＬを作成する。一実施形態において、ＵＲＬは、選択画像を格納するターゲットサーバ内の１つの位置に一意的に対応する。選択画像の位置は、複数の画像の位置とは異なる。したがって、ＵＲＬにアクセスすることにより、選択画像を表示させることができる。
【００５４】
ステップ５５０において、ステップ５４０で作成されたＵＲＬは、送信者が受信者に対して電子メールメッセージを作成している位置に供給される。
【００５５】
ステップ５６０において、電子メールメッセージにＵＲＬを埋め込む。一実施形態において、ＵＲＬは、電子メールメッセージ内に表示される。例えば、受信者は、電子メールメッセージを開封し、埋め込まれたＵＲＬを選択するように促される。一旦ＵＲＬが選択されると、受信者は、選択画像を見ることができる。
【００５６】
他の実施形態において、ＵＲＬは、受信者が電子メールメッセージを開封するのと同時に自動的に起動される。例えば、受信者は、電子メールメッセージを開封する。次に、埋め込まれたＵＲＬが自動的に選択され、受信者に、画像データに対応する画像を表示する。
【００５７】
さらに他の実施形態において、ＵＲＬは、電子メールメッセージに埋め込まれたコンテンツの少なくとも一部を表すサムネイルアイコンと共に電子メールメッセージ内に表示される。
【００５８】
ステップ５３０の画像のコピー、ステップ５４０のＵＲＬ作成、ステップ５５０のＵＲＬ供給、及び、ステップ５６０のＵＲＬ添付は、送信者の介入なしに自動的に実行される。
【００５９】
図６のフローチャートは、本発明の一実施形態に係る画像データの生成及びその画像データをメッセージに添付することを説明する。
【００６０】
ステップ６１０において、送信者は、受信者に送信するための電子メールメッセージを起動する。
【００６１】
ステップ６２０において、送信者は、電子メールメッセージ内に含める画像をブラウズすることができる。送信者は、送信者の装置内にローカルに格納された画像、リモート位置に格納された画像、及び／又は、ターゲットサーバ内に格納された画像をブラウズしてもよい。一実施形態において、このターゲットサーバは、イメージステーション（ImageStation：登録商標）のようなフォトアルバムアプリケーションをホストしている。
【００６２】
ステップ６３０において、送信者は、画像を選択して、受信者に宛てて作成した電子メールメッセージに添付する画像を特定する。一実施形態では、送信者は、１つの画像を選択する。他の実施形態では、送信者は、メッセージへの添付用に複数の画像を選択する。
【００６３】
ステップ６４０において、電子メールメッセージへの添付用に送信者が選択した画像の格納位置を判定する。
【００６４】
選択画像がターゲットサーバ内に格納されている場合、ステップ６５４において、選択画像は、ターゲットサーバ内の特定の位置にコピーされる。例えば、選択画像は、ターゲットサーバ内に格納されている他の画像とは別の位置にコピーされる。具体的には、選択画像は、複製される。この複製画像は、ターゲットサーバ内に、他の画像とは別の位置に格納される。この実施形態において、選択画像が複数の画像とは別の位置に格納されていながら、他の画像も、ターゲットサーバ上の選択画像の複製前の位置において依然見ることができる。
【００６５】
選択画像が、ターゲットサーバの外部に格納されている場合、ステップ６７０において、選択画像は、ターゲットサーバにアップロードされる。一実施形態において、アップロードモジュール３１０（図３に示す）は、画像データをターゲットサーバにアップロードするのに用いられる。
【００６６】
ステップ６４５において選択画像がコピーされると、又は、ステップ６７０において選択画像がアップロードされると、ステップ６５０において、選択画像に対応するＵＲＬが作成される。一実施形態において、ＵＲＬは、選択画像を格納するターゲットサーバ内の１つの位置に一意的に対応する。選択画像の位置は、複数の画像の位置とは異なる。したがって、ＵＲＬにアクセスすることによって、選択画像を表示させることができる。
【００６７】
ステップ６６０において、電子メールメッセージにＵＲＬを埋め込む。一実施形態において、ＵＲＬは、電子メールメッセージ内に表示される。例えば、受信者は、電子メールメッセージを開封し、埋め込まれたＵＲＬを選択するように促される。一旦ＵＲＬが選択されると、受信者は、選択画像を見ることができる。
【００６８】
他の実施形態において、ＵＲＬは、受信者が電子メールメッセージを開封するのと同時に自動的に起動される。例えば、受信者は、電子メールメッセージを開封する。次に、埋め込まれたＵＲＬが自動的に選択され、受信者に、画像データに対応する画像を表示する。
【００６９】
さらに他の実施形態において、ＵＲＬは、電子メールメッセージに埋め込まれたコンテンツの少なくとも一部を表すサムネイルアイコンと共に電子メールメッセージ内に表示される。
【００７０】
ステップ６４５の画像のコピー、ステップ６５０のＵＲＬ作成、ステップ６７０の画像のアップロード、及び、ステップ６６０のＵＲＬ添付は、送信者の介入なしに自動的に実行される。
【００７１】
Ｃ．結論
上述した本発明の特定の実施形態の説明は、具体的な説明を目的とするものである。例えば、本発明は、デジタル画像変更するプロファイルを作成することを単に本発明の一実施例としての文脈で説明した。本発明は、数多くの他の用途に適用することができる。
【００７２】
本発明は、包括的なもの、又は、記載された実施形態に厳格に一致するように限定されるものではなく、当然ながら、上述の内容を踏まえて多くの変更及び変形が可能である。上記の実施形態は、本発明の本質及びその実際の用途を説明するために選ばれて記載されたものであり、これによって、他の当業者は、本発明及び特定の使用に応じた様々な変更例を含む様々な実施形態を最大限利用することができる。本発明の範囲は、特許請求の範囲を及びその同等のものによって定義される。
【図面の簡単な説明】
【００７３】
【図１】本発明を実施するシステムの構成を示すブロック図である。
【図２】本発明を適用した一実施形態の構成を示すブロック図である。
【図３】本発明を適用した装置の構成を示すブロック図である。
【図４】本発明を適用した処理を示すフローチャートである。
【図５】本発明を適用した処理を示すフローチャートである。
【図６】本発明を適用した処理を示すフローチャートである。
【図１】
2006522415.tif 000003
【図２】
2006522415.tif 000004
【図３】
2006522415.tif 000005
【図４】
2006522415.tif 000006
【図５】
2006522415.tif 000007
【図６】
2006522415.tif 000008
【国際調査報告】
2006522415.tif 000009